(57)【要約】      （修正有）【課題】構造が簡単で、部材としてゴム付属品を必要とせず、組立てに当たって専門工具及び専門技術も必要としない水槽測温装置を提供する。【解決手段】後ケーシング部材、密封カバー部材及び面カバー部材を含み、後ケーシング部材は、円柱体アセンブリ及びネジ溝アセンブリを含み、密封カバー部材は、位置制限密封リングアセンブリ、密封リングアセンブリ及びネジリングアセンブリを含み、密封リングアセンブリが弾性変形することにより密封性を確保する。【選択図】図３
2016070933.tif 000002
【特許請求の範囲】
【請求項１】
後ケーシング部材（１）、密封カバー部材（２）及び面カバー部材（３）を含み、前記後ケーシング部材（１）は、円柱体アセンブリ（１１）及びネジ溝アセンブリ（１２）を含み、前記密封カバー部材（２）は、位置制限密封リングアセンブリ（２１）、密封リングアセンブリ（２２）及びネジリングアセンブリ（２３）を含み、
前記ネジ溝アセンブリ（１２）は、円柱体アセンブリ（１１）の外壁上に設置され、
前記密封カバー部材（２）は、内壁にネジリングアセンブリ（２３）が設けられるとともに、ネジリングアセンブリ（２３）とネジ溝アセンブリ（１２）との噛合により後ケーシング部材（１）上に固定される、水槽水温測定装置の密封構造であって、
密封を実施する際は、ネジリングアセンブリ（２３）とネジ溝アセンブリ（１２）とが徐々に噛合することに伴い、前記位置制限密封リングアセンブリ（２１）が円柱体アセンブリ（１１）の外壁を押圧するとともに、弾性変形を発生させ、最終的に円柱体アセンブリ（１１）の外壁に貼着し、
ネジリングアセンブリ（２３）とネジ溝アセンブリ（１２）とが徐々に噛合することに伴い、前記密封リングアセンブリ（２２）が円柱体アセンブリ（１１）の内壁を押圧するとともに、弾性変形を発生させ、最終的に円柱体アセンブリ（１１）の内壁に係合し、
前記面カバー部材（３）は、係合により後ケーシング部材（１）に固定されることを特徴とする水槽水温測定装置の密封構造。
【発明の詳細な説明】
【技術分野】
【０００１】
本発明は水槽水温測定装置分野に関するものであり、特に水槽水温測定装置の密封構造に関するものである。
【背景技術】
【０００２】
現在、水槽の水温測定装置は、一般にゴムリングを採用して密封されており、この種の密封方式は比較的ゴムリングに依存しており、ゴムリングは一定の防水効果を有しているが、コストが比較的高く、かつ、防水効果も往々にして比較的不安定である。また、ゴムリングで密封する方式の温度測定装置は装着水準に対する要求が比較的高く、かつ、外面から視認できない場合は押圧されるゴムリングの変形方向を掌握することが非常に困難であり、ひとたびユーザが使用を開始して自ら電池を着脱した後に、密封効果が往々にして大幅に低下してしまう。
【発明の概要】
【発明が解決しようとする課題】
【０００３】
本発明が解決すべき技術的問題は、水槽水温測定装置の密封構造を提供することにあり、当該密封構造は、ゴムリングを採用して密封する従来方式を突破しており、外部ケーシングとの間の相互ネジ噛合、係合などの方式により密封効果を実現する。
【課題を解決するための手段】
【０００４】
上記の技術的問題を解決するため、本発明が提供する技術案は以下の通りである。水槽水温測定装置の密封構造であって、後ケーシング部材、密封カバー部材及び面カバー部材を含み、後ケーシング部材は、円柱体アセンブリ及びネジ溝アセンブリを含み、密封カバー部材は、位置制限密封リングアセンブリ、密封リングアセンブリ及びネジリングアセンブリを含む。
【０００５】
ネジ溝アセンブリは、円柱体アセンブリの外壁上に設置される。
【０００６】
密封カバー部材は、内壁にネジリングアセンブリが設けられるとともに、ネジリングアセンブリとネジ溝アセンブリとの噛合により後ケーシング部材上に固定される。
【０００７】
密封を実施する際、ユーザが密封カバー部材を旋回締結することに伴い、ネジリングアセンブリとネジ溝アセンブリとが徐々に噛合し、位置制限密封リングアセンブリが円柱体アセンブリの外壁を押圧するとともに、弾性変形を発生させ、最終的に円柱体アセンブリの外壁に貼着し、第１重の密封構造を形成する。
【０００８】
ユーザが密封カバー部材を旋回締結することに伴い、ネジリングアセンブリとネジ溝アセンブリとが徐々に噛合し、密封リングアセンブリが円柱体アセンブリの内壁を押圧するとともに、弾性変形を発生させ、最終的に円柱体アセンブリの内壁に係合し、第２重の密封構造を形成する。
【０００９】
同時に、円柱体アセンブリ頂端の端面と密封カバー部材の底面とが緊密に貼着して第３重の密封構造を形成可能である。
【００１０】
面カバー部材は、係合により後ケーシング部材に固定される。前記係合方式は具体的には超音波シールとすることができる。
【００１１】
また、温度測定のＰＣＢ部材は後ケーシング部材の底部に設置され、ＰＣＢ上に取り付けられた電子感温プローブにより後ケーシング部材から自然に伝導されてきた水温を検知し、それは面カバー部材と後ケーシング部材との間に密封され、後ケーシング部材は、後ケーシング部材の下部に設置されＵ字形挟持リングを含む挟持体アセンブリを更に含み、吸盤部材が挟持体アセンブリにより挟持されて後ケーシング部材上に固定されることにより、水温測定装置全体が吸盤を介して水槽内壁ガラス上に直接固定可能となることにより、水槽外部から視認可能な状態となる。
【発明の効果】
【００１２】
上記技術案を採用した後、本発明の有益な効果は以下の通りである。
【００１３】
現有の技術案に対して、本発明が提供する水槽水温測定装置の密封構造は、主にケーシングの間の螺合及び係合などの方式に依拠するものであり、ゴム付属品を必要とせず、従来のゴムリングに依存した密封構造生産方式を突破しており、同時に、本発明は、装着が簡単で、一般ユーザであっても簡易に維持することができ、何らの専門工具及び専門技術も必要としない。
【図面の簡単な説明】
【００１４】
【図１】水槽水温測定装置の密封構造の組付図である。
【図２】水槽水温測定装置の密封構造の断面図である。
【図３】水槽水温測定装置の密封局所拡大図である。
【発明を実施するための形態】
【００１５】
以下においては、添付図面１〜添付図面３及び具体的な実施例に基づき本発明について詳細に説明するが、それは本発明を限定するものではない。
【００１６】
添付図面１〜添付図面３に示されている通り、水槽水温測定装置の密封構造は、後ケーシング部材１、密封カバー部材２及び面カバー部材３を含み、後ケーシング部材１は、円柱体アセンブリ１１及びネジ溝アセンブリ１２を含み、密封カバー部材２は、位置制限密封リングアセンブリ２１、密封リングアセンブリ２２及びネジリングアセンブリ２３を含む。
【００１７】
ネジ溝アセンブリ１２は、円柱体アセンブリ１１の外壁上に設置される。
【００１８】
密封カバー部材２は、内壁にネジリングアセンブリ２３が設けられるとともに、ネジリングアセンブリ２３とネジ溝アセンブリ１２との噛合により後ケーシング部材１上に固定される。
【００１９】
密封を実施する際、ユーザが密封カバー部材２を旋回させてネジを噛合すると、ネジリングアセンブリ２３とネジ溝アセンブリ１２とが徐々に噛合することに伴い、位置制限密封リングアセンブリ２１が円柱体アセンブリ１１の外壁を押圧するとともに、弾性変形を発生させ、最終的に円柱体アセンブリ１１の外壁に貼着し、第１重の密封構造を形成する。
【００２０】
ユーザが密封カバー部材２を旋回させてネジを噛合すると、ネジリングアセンブリ２３とネジ溝アセンブリ１２とが徐々に噛合することに伴い、密封リングアセンブリ２２が円柱体アセンブリ１１の内壁を押圧するとともに、弾性変形を発生させ、最終的に円柱体アセンブリ１１の内壁に係合し、第２重の密封構造を形成する。
【００２１】
同時に、円柱体アセンブリ１１頂端の端面と密封カバー部材２の底面とが緊密に貼着して第３重の密封構造を形成可能である。
【００２２】
面カバー部材３は、係合により後ケーシング部材１に固定される。
【００２３】
また、温度測定のＰＣＢ部材は後ケーシング部材１の底部に設置され、ＰＣＢ上に取り付けられた電子感温プローブにより後ケーシング部材１から自然に伝導されてきた水温を検知し、それは面カバー部材３と後ケーシング部材１との間に密封され、後ケーシング部材１は、後ケーシング部材１の下部に設置されＵ字形挟持リングを含む挟持体アセンブリを更に含み、吸盤部材が挟持体アセンブリにより挟持されて後ケーシング部材上に固定され、水温測定装置全体が吸盤を介して水槽内側ガラス上に直接固定可能となることにより、水槽外部から視認可能な状態となる。
【００２４】
技術的な常識によれば、本技術案は、その精神的な実質または必要とする特徴から脱離しないその他の実施案によっても実現することができる。そのため、上記開示された実施案は、各方面について述べると、いずれも例を挙げて説明したものに過ぎず、それのみを有するものではない。本発明の範囲内、または本発明に等しい範囲内の変更は、いずれも本発明に包含される。
【図１】
2016070933.tif 000003
【図２】
2016070933.tif 000004
【図３】
2016070933.tif 000005